(57)【要約】【課題】  既存の三方活栓に対して、三方活栓を握り易くするとともに、切換コックの回転操作性を向上させ、また、三方活栓からチューブが外れることを防止することが可能な、三方活栓用グリップを提供する。【解決手段】  三方活栓１００の切換コックよりも第１ポート１２０側の第１管路１１０Ａに対して着脱可能に嵌合される第１嵌合部４２０と、切換コックよりも第２ポート側の第１管路１１０Ｂに着脱可能に嵌合される第２嵌合部４３０とを有している。また、この第１嵌合部４２０および第２嵌合部４３０は、第１管路に対して略並行に伸びる補助グリップ部４１０に設けられている。【選択図】        図２
2006247260.tif 000002
【特許請求の範囲】
【請求項１】
一端に第１ポート(120)、他端に第２ポート(130)を有する第１管路(110)と、
第３ポート(150)を有し前記第１管路(110)に対して交差するように入力する第２管路(140)と、
前記第１管路(110)と前記第２管路(140)との交差領域(C1)に設けられ、選択される少なくとも２つのポートを連通するための切換コック(160)とを有する三方活栓(100)に取り付けられる、三方活栓用グリップ(400)であって、
前記切換コック(160)よりも前記第１ポート(120)側の前記第１管路(110)に着脱可能に嵌合される第１嵌合部(420)と、
前記切換コック(160)よりも前記第２ポート(130)側の前記第１管路(110)に着脱可能に嵌合される第２嵌合部(430)と、
前記第１嵌合部(420)および前記第２嵌合部(430)が設けられる補助グリップ部(410)と、
を有する、三方活栓用グリップ。
【請求項２】
前記三方活栓(100)の前記第２ポート(130)に着脱可能に連結されるチューブ(300)をさらに有し、
前記チューブ(300)に着脱可能に嵌合される第３嵌合部(440)が前記補助グリップ部(410)に設けられる、請求項１に記載の三方活栓用グリップ。
【請求項３】
前記チューブ(300)を、前記補助グリップ部(410)とともに挟持して、前記チューブ(300)を固定保持するためのキャップ(450)をさらに備える、請求項２に記載の三方活栓用グリップ。
【請求項４】
当該三方活栓用グリップに対して、前記第１管路(110)の軸方向周りの回転を阻止するための回転阻止領域(102h、450)をさらに備える、請求項１から３のいずれかに記載の三方活栓用グリップ。
【発明の詳細な説明】
【技術分野】
【０００１】
本発明は、医療現場において用いられる三方活栓に取り付けられる三方活栓用グリップの構造に関する。
【背景技術】
【０００２】
近年、人体の機能を検査する装置としてさまざまなものが開発されている。その中の１つに、患者の循環器の機能を診断するための循環器Ｘ線診断装置がある。この循環器Ｘ線診断装置では、Ｘ線診断に必要な処置を施すための器具の１つとして、造影剤を患者に注入するための医療用インジェクタヘッドが装備されている。また、造影剤を患者に注入する場合には、医療用インジェクタヘッド側に接続されるチューブ、および、患者側に接続されるカテーテルが用いられるが、患者への造影剤の注入、生理食塩水の注入等の切換に、三方活栓と呼ばれる器具が用いられる。
【０００３】
この三方活栓は、通常３つのポートを有し、切換コックを操作することで、各ポートの連通の遮断状態、選択する２つのポートの連通状態、および、全てのポートの連通状態が選択可能に設けられている。また、各ポートとチューブとの連結には、相互に螺合することで、両者の連結を可能とする構造が採用されている。このような三方活栓の構造を開示するものとしては、下記特許文献１が挙げられる。
【０００４】
ここで、医療現場において、三方活栓を用いる場合には、三方活栓を一方の手（通常は左手）で保持し、他方の手（通常は右手）で、切換コックを操作することで、流路の連結状態が選択されるが、三方活栓そのものは複雑な略Ｔ字形状を有していることから握り難いとい問題がある。また、三方活栓は高圧に耐え得るように作られていることに起因して、切換コックを回転させるのが硬いという問題もある。また、三方活栓にカテーテルが連結され、検査時にカテーテルの位置を操作する場合には、三方活栓を片手に保持しながら三方活栓に設けられたロータを同じ手の指で回転操作させるが、現状の三方活栓においては握り難く、また操作作業が困難であるとの問題がある。さらに、造影剤の注入時には、チューブに高圧が印加されるが、通常チューブにはねじれが発生しており、高圧が印加すると、チューブ自体が元の状態に復元しようとするために、操作中にチューブがねじれ、三方活栓に対してチューブが軸方向周りに回転して、三方活栓からチューブが外れるおそれもある。
【特許文献１】特開２００３−３３４４１号公報
【発明の開示】
【発明が解決しようとする課題】
【０００５】
本願発明の課題は、医療現場において用いられる三方活栓において、握り難い点、切換コックを回転させ難い点、および、三方活栓からチューブが外れるおそれがある点にある。したがって、本発明の目的は、既存の三方活栓に対して、三方活栓を握り易くするとともに、切換コックの回転操作性を向上させ、また、三方活栓からチューブが外れることを防止することが可能な、三方活栓用グリップを提供することにある。
【課題を解決するための手段】
【０００６】
この発明に基づいた三方活栓用グリップにおいては、三方活栓に取り付けられる、三方活栓用グリップであって、切換コックよりも第１ポート側の第１管路に着脱可能に嵌合される第１嵌合部と、上記切換コックよりも第２ポート側の上記第１管路に着脱可能に嵌合される第２嵌合部と、上記第１嵌合部および上記第２嵌合部が設けられる補助グリップ部とを有している。なお、三方活栓は、一端に第１ポート、他端に第２ポートを有する第１管路と、第３ポートを有し上記第１管路に対して交差するように入力する第２管路と、上記第１管路と上記第２管路との交差領域に設けられ、選択される少なくとも２つのポートを連通するための切換コックとを有している。
【０００７】
また、上記三方活栓用グリップにおいて他の形態としては、上記三方活栓の上記第２ポートに着脱可能に連結されるチューブをさらに有し、上記チューブに着脱可能に嵌合される第３嵌合部が上記補助グリップ部に設けられている。
【０００８】
また、上記三方活栓用グリップにおいて他の形態としては、上記チューブを、上記補助グリップ部とともに挟持して、上記チューブを固定保持するためのキャップをさらに備えている。
【０００９】
また、上記三方活栓用グリップにおいて他の形態としては、当該三方活栓用グリップに対して、上記第１管路の軸方向周りの回転を阻止するための回転阻止領域をさらに備えている。
【発明の効果】
【００１０】
この発明に基づいた三方活栓用グリップによれば、三方活栓を保持する補助グリップ部を有することで、三方活栓とともにこの補助グリップ部を手で握ることが可能となり、三方活栓のみの場合の握り難さを改善することが可能となる。また、三方活栓の握り難さが改善されることで、しっかりと三方活栓を一方の手で保持できるようになることから、他の手における切換コックに十分な回転トルクを与えることが可能となり、切換コックの回転操作性を向上させることが可能となる。
【００１１】
また、上記三方活栓用グリップの他の形態によれば、チューブに着脱可能に嵌合される第３嵌合部が補助グリップ部に設けられることで、三方活栓とチューブとが、本三方活栓用グリップにより固定されるため、チューブに高圧に起因するねじれ方向の回転力が加わっても、三方活栓からのチューブの外れを防止することが可能となる。
【００１２】
また、上記三方活栓用グリップの他の形態によれば、チューブを固定保持するためのキャップをさらに備えることで、三方活栓用グリップ、三方活栓、および、チューブの一体性が向上し、三方活栓の操作性能の向上を図ることが可能となる。
【００１３】
また、上記三方活栓用グリップの他の形態によれば、三方活栓用グリップに対して、第１管路の軸方向周りの回転を阻止するための回転阻止領域をさらに備えることで、三方活栓用グリップの三方活栓からの脱落を防止するとともに、三方活栓に対するチューブの軸方向周りの回転も制限されることから、より確実に三方活栓からのチューブの外れを防止することが可能となる。
【発明を実施するための最良の形態】
【００１４】
以下、本発明に基づいた三方活栓の取り付けられる三方活栓用グリップの構造について、まず、図１から図３を参照して説明する。なお、図１は、三方活栓１００の構造を示す全体斜視図であり、図２は、三方活栓１００に本実施の形態における三方活栓用グリップ４００を取り付けた状態を示す第１全体斜視図であり、図３は、三方活栓１００に本実施の形態における三方活栓用グリップ４００を取り付けた状態を示す第２全体斜視図である。
【００１５】
まず、図１を参照して、三方活栓１００の概略構成について説明する。三方活栓１００は、一端に第１ポート１２０、他端に第２ポート１３０を有する第１管路１１０と、第３ポート１５０を有し第１管路１１０に対して交差するように入力する第２管路１４０とを有している。また、第１管路１１０と第２管路１４０との交差領域Ｃ１には、各ポートの連通の遮断状態、選択する２つのポートの連通状態、および、全てのポートの連通状態を切換選択するための切換コック１６０が設けられている。第１ポート１２０には、連結されるカテーテル２００の先端部に設けられた連結螺合部２１０に対して回転しながら螺合することで、カテーテル２００と第１ポート１２０との連結を可能とし、また、検査時にカテーテル２００の位置をコントロールするためのロータ１２０Ａが設けられている。
【００１６】
第２ポート１３０および第３ポート１５０には、連結されるチューブ３００の先端部に設けられた回転可能なロータ３１０に対して螺合可能な連結螺合部１３０Ａ，１５０Ａがそれぞれ設けられている。なお、各ポートの連結構造は、要求される性能に応じて変更されるものであり、図１に示す構造に限定されるものではない。
【００１７】
次に、図２を参照して、三方活栓用グリップ４００の構造について説明する。本実施の形態における三方活栓用グリップ４００は、三方活栓１００の切換コック１６０よりも第１ポート１２０側の第１管路１１０Ａに対して着脱可能に嵌合される第１嵌合部４２０と、切換コック１６０よりも第２ポート１３０側の第１管路１１０Ｂに着脱可能に嵌合される第２嵌合部４３０とを有している。また、この第１嵌合部４２０および第２嵌合部４３０は、第１管路１１０に対して略並行に伸びる補助グリップ部４１０に設けられている。この補助グリップ部４１０は、人間工学的な観点から、三方活栓用グリップ４００を手で保持した場合に、手のひらの形状に沿うように、その外表面が波状の凹凸が設けられている。
【００１８】
また、本実施の形態における補助グリップ部４１０には、三方活栓１００の第２ポート１３０に連結されるチューブ３００に対して着脱可能に嵌合される第３嵌合部４４０が設けられている。また、チューブ３００の回転や振れを防止し、チューブ３００の補助グリップ部４１０への固定を強固にするため、チューブ３００を、補助グリップ部４１０とともに挟持するためのキャップ４５０をさらに備えている。図３は、このキャップ４５０を補助グリップ部４１０に装着し、チューブ３００を固定した状態を示す図である。
【００１９】
ここで、図４および図６を参照して、第１〜第３嵌合部４２０，４３０，４４０の形状、および、キャップ４５０の補助グリップ部４１０への装着構造について説明する。なお、図４および図５は、三方活栓用グリップ４００を横断面で見た場合の図である。第１〜第３嵌合部４２０，４３０，４４０は、いずれも上方からチューブ３００を挿入するための開口部を備える略環状形状を有し、各嵌合部４２０，４３０，４４０の弾性力に基づき、第１管路１１０Ａ，第２管路１１０Ｂ、および、チューブ３００を固定している。
【００２０】
また、キャップ４５０は、ドーム形状を有し、内部にはチューブ３００を上方から押さえ付けるためのリブ４５０ｃが設けられている。補助グリップ部４１０には、開口部からなる係合領域４１０ａ，窪みからなる係合領域４１０ｂが形成されており、キャップ４５０の端部に設けられた係合爪４５０ａ，４５０ｂが、弾性力に基づき係合領域４１０ａ，４１０ｂに係合することで、キャップ４５０が補助グリップ部４１０に固定保持される。
【００２１】
（回転阻止領域）
次に、図６を参照して、この三方活栓用グリップ４００に対して、三方活栓１００の第１管路１１０の軸方向周りの回転を阻止するための回転阻止領域の構成について説明する。なお、図６は、三方活栓用グリップ４００を横断面で見た場合の断面図である。
【００２２】
三方活栓１００の交差領域Ｃ１には切換コック１６０を収容するためのコック管１１０ｃが設けられ、このコック管１１０ｃの内部に、切換コック１６０の切換軸部１０２が収容されている。この切換軸部１０２には開口流路１０２ｈが形成されている。切換軸部１０２の下端部には、軸方向の内方に向かう凹部領域１０２ｇが設けられている。また、補助グリップ部４１０には、上方に延びる柱状部材４６０が設けられ、この柱状部材４６０が凹部領域１０２ｇに嵌合するように嵌め入れられている。
【００２３】
（作用・効果）
以上、本実施の形態における三方活栓用グリップ４００によれば、第１管路１１０に対して略並行に伸びる補助グリップ部４１０を有することで、図７に示すように、三方活栓１００とともにこの補助グリップ部４１０を手で握ることが可能となり、三方活栓１００のみの場合の握り難さを改善することを可能とする。また、三方活栓１００の握り難さが改善されることで、しっかりと三方活栓１００を左手で保持できるようになることから、右手における切換コック１６０に十分な回転トルクを与えることが可能となり、切換コック１６０の回転操作性を向上させることができる。さらに、図８に示すように、検査時にカテーテル２００の位置を操作する場合には、三方活栓１００を保持した本三方活栓用グリップ４００を片手(右手）に保持しながら三方活栓１００に設けられたロータ２００を同じ手の指で回転操作させる場合にも、三方活栓１００の握り難さが改善されていることで、しっかりと三方活栓１００を右手で保持することができる。
【００２４】
また、チューブ３００に着脱可能に嵌合される第３嵌合部４４０が補助グリップ部４１０に設けられることで、三方活栓１００とチューブ３００とが、本三方活栓用グリップ４００により固定されるため、三方活栓１００からのチューブ３００の外れを防止することができる。また、チューブ３００を固定保持するためのキャップ４５０をさらに備えることで、三方活栓用グリップ４００、三方活栓１００、および、チューブ１００の一体性が向上し、三方活栓１００の操作性能の向上を図ることができる。
【００２５】
さらに、三方活栓用グリップ４００に対して、第１管路１１０の軸方向周りの回転を阻止するための回転阻止領域（４５０，１０２ｇ）をさらに備えることで、三方活栓用グリップ４００の三方活栓１００からの脱落を防止するとともに、三方活栓１００に対するチューブ３００の軸方向周りの回転も制限されることから、より確実に三方活栓１００からのチューブ３００の外れを防止することができる。
【００２６】
（他の実施の形態）
この発明に基づいた、他の実施の形態における三方活栓用グリップの形状について、図９〜図１４を参照して説明する。まず、図９および図１０を参照して、三方活栓用グリップ６００の構造について説明する。基本的構造は上述した三方活栓用グリップ４００と同じであり、人間工学的な観点から、三方活栓用グリップを手で保持した場合の握りやすさの観点から、外形形状を異ならせている。なお、図９は、三方活栓１００を装着した状態での三方活栓用グリップ６００の外観を示す全体斜視図であり、図１０は、三方活栓１００を取り外した状態での三方活栓用グリップ６００の外観を示す全体斜視図である。
【００２７】
両図を参照して、この三方活栓用グリップ６００は、上述した三方活栓用グリップ４００と同様に、補助グリップ部６１０とキャップ６５０とを有している。補助グリップ部６１０は、三方活栓用グリップ６００を手で保持した場合に、手のひらの形状に沿うように、その外表面が波状の凹凸部領域６１１と、指側においても、握り心地を改善するため、該表面が緩やかな凸部領域６１５とを有している。また、キャップ６５０も、凸部領域６１５に連続する外形形状を有している。
【００２８】
また、補助グリップ部６１０には、上述した三方活栓用グリップ４００と同様に、三方活栓１００の切換コック１６０よりも第１ポート１２０側の第１管路１１０Ａに対して着脱可能に嵌合される第１嵌合部６２０と、切換コック１６０よりも第２ポート１３０側の第１管路１１０Ｂに着脱可能に嵌合される第２嵌合部６３０と、三方活栓１００の第２ポート１３０に連結されるチューブ３００に対して着脱可能に嵌合される第３嵌合部６４０とが設けられている。なお、回転阻止領域として、本実施の形態においては、コック管１１０ｃを外周面から全体的に受け入れる凹部領域６６０が設けられている。
【００２９】
以上、この三方活栓用グリップ６００においても、上記三方活栓用グリップ４００と同様の作用効果を得ることができる。なお、三方活栓用グリップの外形形状には様々な形態を採用することができる。図１１に示す三方活栓用グリップ７００においては、中央領域が大きく外方に膨らむ膨出領域７１０，７１５を有し、また、キャップ７５０も、膨出領域７１０，７１５に連続する外形形状を有している。図１２に示す三方活栓用グリップ８００においては、小判型の側部領域８１０，８１５を有し、また、キャップ８５０も、側部領域８１０，８１５に連続する外形形状を有している。図１３に示す三方活栓用グリップ９００においては、バイオリン型の側部湾曲領域９１０，９１５を有し、また、キャップ９５０も、側部湾曲領域９１０，９１５に連続する外形形状を有している。
【００３０】
なお、上述した三方活栓用グリップ４００，５００，６００，７００，８００に採用される補助グリップ部４１０，６１０，７１０，８１０，９１０はいずれも、第１管路１１０に対して略並行に伸びる形態を有しているが、このような形態に限らず、図１４に示すように、第１管路１１０から遠ざかる方向に延びる握り棒形状の補助グリップ部４１０Ｇの形態の採用も可能である。この場合、補助グリップ部４１０Ｇは、下方に延びる形態、斜め下方に延びる形態、横方向に延びる形態等の採用が可能である。
【００３１】
以上、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００３２】
【図１】この発明に基づいた実施の形態に用いる三方活栓の構造を示す全体斜視図である。
【図２】この発明に基づいた実施の形態における三方活栓用グリップを三方活栓に取り付けた状態を示す第１全体斜視図である。
【図３】この発明に基づいた実施の形態における三方活栓用グリップを三方活栓に取り付けた状態を示す第２全体斜視図である。
【図４】図２中ＩＶ線矢視断面図である。
【図５】図３中Ｖ線矢視断面図である。
【図６】図２中ＶＩ線矢視断面図である。
【図７】この発明に基づいた実施の形態における三方活栓用グリップを三方活栓に取り付けた第１の使用状態を示す図である。
【図８】この発明に基づいた実施の形態における三方活栓用グリップを三方活栓に取り付けた第２の使用状態を示す図である。
【図９】この発明に基づいた他の実施の形態における三方活栓用グリップを三方活栓に取り付けた状態を示す全体斜視図である。
【図１０】この発明に基づいた他の実施の形態における三方活栓用グリップの構造を示す全体斜視図である。
【図１１】この発明に基づいたさらに他の実施の形態における三方活栓用グリップを三方活栓に取り付けた状態を示す全体斜視図である。
【図１２】この発明に基づいたさらに他の実施の形態における三方活栓用グリップを三方活栓に取り付けた状態を示す全体斜視図である。
【図１３】この発明に基づいたさらに他の実施の形態における三方活栓用グリップを三方活栓に取り付けた状態を示す全体斜視図である。
【図１４】この発明に基づいたさらに他の実施の形態における三方活栓用グリップを三方活栓に取り付けた状態を示す全体斜視図である。
【符号の説明】
【００３３】
１００  三方活栓、１０２  切換軸部、１０２ｇ  凹部領域、１０２ｈ  開口流路、１１０，１１０Ａ，１１０Ｂ  第１管路、１１０ｃ  コック管、１２０  第１ポート、１２０Ａ  ロータ、１３０  第２ポート、１３０Ａ，１５０Ａ  連結螺合部、１４０  第２管路、１５０  第３ポート、１６０  切換コック、２００  チューブ、２１０  連結螺合部、３１０  ロータ、４００  三方活栓用グリップ、４１０，４１０Ｇ，６１０，７１０，８１０，９１０  補助グリップ部、４１０ａ，４１０ｂ  係合領域、４２０，６２０  第１嵌合部、４３０，６３０  第２嵌合部、４４０，６４０  第３嵌合部、４５０，６５０，７５０，８５０，９５０  キャップ、４５０ａ，４５０ｂ  係合爪、４５０ｃ  リブ、４６０  柱状部材、６００，７００，８００，９００  三方活栓用グリップ、６１１  凹凸部領域、６１５  凸部領域、６６０  凹部領域、７１０，７１５  膨出領域、８１０，８１５  側部領域、９１０，９１５  側部湾曲領域、Ｃ１  交差領域。
【図１】
2006247260.tif 000003
【図２】
2006247260.tif 000004
【図３】
2006247260.tif 000005
【図４】
2006247260.tif 000006
【図５】
2006247260.tif 000007
【図６】
2006247260.tif 000008
【図７】
2006247260.tif 000009
【図８】
2006247260.tif 000010
【図９】
2006247260.tif 000011
【図１０】
2006247260.tif 000012
【図１１】
2006247260.tif 000013
【図１２】
2006247260.tif 000014
【図１３】
2006247260.tif 000015
【図１４】
2006247260.tif 000016